(57)【要約】【課題】点滴スタンドの管理方法の提供。【解決手段】本発明の開示する点滴スタンドの管理方法は、病院の各部門に応じて点滴スタンドに必要な異なるカラーを設定する。アルミ合金製点滴スタンドの伸縮スタンド棒表面に施す陽極染色処理は、病院の各部門が必要とするカラーに符合させたものであるため、各部門の点滴スタンドが混ざり合った時であっても、管理者は前記陽極染色処理のカラーに基づき、便利に分類し各部門へ返却できる。本管理方法によって、各部門に配置すべき点滴スタンドを効率的に管理することができる。病院の管理者は、点滴スタンド表面の陽極染色処理により病院で使用する点滴スタンドを管理、分類、返却できるため、点滴スタンドの返却時間を減少させ、病院の各部門の点滴スタンドに発生する不足状況を防ぐことが可能となる。【選択図】図２
2011110423.tif 000002
【特許請求の範囲】
【請求項１】
病院の各部門に応じて点滴スタンドに必要な異なるカラーを設定し、
アルミ合金製の前記点滴スタンドの伸縮スタンド棒表面に施す陽極染色処理は、病院の各部門が必要とするカラーに符合させたものとし、
各部門の点滴スタンドが混ざり合った時であっても、管理者は各カラーに基づき便利に分類し各部門への返却を可能とし、
病院が使用する点滴スタンドの管理と返却に役立てられることを特徴とする点滴スタンドの管理方法。
【請求項２】
前記点滴スタンドは、伸縮スタンド棒表面に陽極染色処理を施す他、伸縮スタンド棒に配置する嵌合材及び伸縮スタンド棒上端に配置する引掛部にも、伸縮スタンド棒と同カラーの陽極染色処理を選択性で施すことができることを特徴とする請求項１記載の点滴スタンドの管理方法。
【発明の詳細な説明】
【技術分野】
【０００１】
本発明の点滴スタンドの管理方法は、特に、アルミ合金製の点滴スタンドにおいて、病院の各部門に応じて設定した、異なるカラー、及び、点滴スタンドの伸縮スタンド棒表面に施した陽極染色処理が、点滴スタンドの管理効率を大幅に引き上げる効果を有する点滴スタンドの管理方法に関する。
【背景技術】
【０００２】
病院の各部門、各科、各階にいる患者の中には、入院中に点滴を打った経験を持つ者も多いだろう。点滴時間は非常に長いため、患者がベッドを離れて歩行したい場合は、歩行を便利にするために、点滴スタンドに点滴バッグを引き掛け定位させている。しかし、前記点滴スタンドは通常、患者が歩く過程において異なる部門や階に置いておかなければならず、しかも点滴スタンドは単色で同一タイプであるために、どの部門或いはどの階に配置すべきであるかが識別できず、病院のある部門、ある科、ある階の点滴スタンドが不足する状況が発生し易く、点滴スタンドの管理が非常に困難となっている。
【０００３】
一般の病院で使用されている点滴スタンド１０の構造形態は図１に示すとおりである。それは、スタンド脚１１上にスタンド棒１２を組み合わせ、前記スタンド棒１２は上方向に予定の固定高さ位置まで延伸している。スタンド棒１２の外表面は焼付け塗装をし、表面の焼付け塗装や浸漬塗りをした塗料が衝撃を受けて剥離しやすい。また、前記スタンド棒１２の上端には引掛部１３を溶接している。この種の点滴スタンド１０を実際に使用する際、点滴スタンド１０が混ざり合った場合は、外見が単色でその点滴スタンド１０がどの部門またはどの階に配置すべきかを識別できないため、点滴スタンド１０を元々あった部門に返却できない等の欠点が存在し、これによりある部門やある階の点滴スタンド１０が不足状況となる等の問題が常に発生している。
【発明の概要】
【発明が解決しようとする課題】
【０００４】
本発明が解決しようとする技術問題は、病院の各部門、各科、各階の点滴スタンドが混ざり合った時によく発生する不足状況、点滴スタンドの管理の困難性、点滴スタンド表面の焼付け塗装やコーティングの塗料が衝撃を受けて剥離しやすい等の現有する諸問題を改善する点滴スタンドの管理方法を提供することにある。それは、アルミ合金製の点滴スタンドであり、病院が予め設定したカラー及び点滴スタンドに用いた伸縮スタンド棒表面に陽極染色処理を施し、大幅に点滴スタンドの管理効率を高め、伸縮スタンド棒表面の引っ張り動作による磨耗や剥離を防止し、良好な耐磨耗性を備えさせるものである。
【課題を解決するための手段】
【０００５】
点滴スタンドの管理方法は、病院の各部門に応じて点滴スタンドに必要な異なるカラーを設定２０を含むもので、アルミ合金製点滴スタンドの伸縮スタンド棒表面に施す陽極染色処理は、病院の各部門が必要とするカラーに符合させる３０の伸縮スタンド棒表面に施す陽極染色処理は、病院の各部門が必要とするカラーに符合させているため、各部門の点滴スタンドが混ざり合った時であっても、管理者は前記陽極染色処理のカラーに基づき、便利に分類し各部門４０へ返却できる。
【０００６】
前記アルミ合金製の伸縮スタンド棒表面には陽極処理を施した染色層を備えているため、管理者は、各部門に放置した点滴スタンドをそれぞれのカラーに基づき、便利に分類し各部門へ返却できる。また、伸縮スタンド棒表面の陽極処理を施した染色層によって、伸縮スタンド棒を引張る動作時の磨耗や剥離を防ぐことができ、点滴スタンドは耐磨耗性を備え、長期的な使用が可能となる。
【発明の効果】
【０００７】
点滴スタンドの管理方法は主に、次の如き効果を達成するものである。
（１）本発明の点滴スタンドの管理方法は、病院の各部門に応じて点滴スタンドに必要な異なるカラー２０を設定し、アルミ合金製点滴スタンドの伸縮スタンド棒表面に施す陽極染色処理は、病院の各部門が必要とするカラーに符合させたものであるため、各部門の点滴スタンドが混ざり合った時であっても、管理者は前記陽極染色処理のカラーに基づき、便利に分類し各部門へ返却できる。よって、点滴スタンドの返却時間を減らし、病院のある部門、ある科、ある階の点滴スタンドが混ざり合った時に発生する不足状況を防ぎ、点滴スタンドの管理効率を大幅に高めることができる。
（２）本発明の伸縮スタンド棒表面に備えた陽極処理を施した染色層は、引っ張り動作によって磨耗したり衝撃による剥離を起こさず、耐摩耗性を備え、点滴スタンドを長期使用可能にする。
（３）本発明点滴スタンドの伸縮スタンド棒区分は、病院の各部門が必要とするカラーに基づき対応させており、点滴スタンドが混ざり合った時でも各部門にすぐに分類返却するための管理に役立てられる。
【図面の簡単な説明】
【０００８】
【図１】従来の点滴スタンドの立体図である。
【図２】本発明の点滴スタンドの管理方法のフロ一チャ一トである。
【図３】本発明の点滴スタンドの立体組立図である。
【発明を実施するための形態】
【０００９】
次に、発明の技術内容、目的及び効果を理解していただくために、図面を組み合わせて本発明の実施例に関する詳細説明を行う。
【実施例】
【００１０】
図２には、点滴スタンドの管理方法のフロ一チャ一トを示す。本発明の点滴スタンドの管理方法は、病院の各部門に応じて点滴スタンドに必要な異なるカラーを設定２０を含むもので、アルミ合金製点滴スタンドの伸縮スタンド棒表面に施す陽極染色処理は、病院の各部門が必要とするカラーに符合させる３０の伸縮スタンド棒表面に施す陽極染色処理は、病院の各部門が必要とするカラーに符合させているため、各部門の点滴スタンドが混ざり合った時であっても、管理者は前記陽極染色処理のカラーに基づき、便利に分類し各部門４０へ返却できる。即ち、本発明の点滴スタンドの管理方法は、病院の管理において、各部門の点滴スタンド５０を簡単に見分け、使用する点滴スタンド５０の管理及び返却に役立てられる方法である。
【００１１】
図３を参照し、本管理方法を説明する。アルミ合金製の点滴スタンド５０の伸縮スタンド棒６０表面には前記病院各部門の必要とする異なるカラーの陽極染色処理を施しているため、病院は本陽極染色処理によって、各部門に配置すべく点滴スタンド５０を更に効率的に管理できる。病院の管理者は、点滴スタンド５０の伸縮スタンド棒６０表面に施した陽極染色処理に基づいて、使用している点滴スタンド５０の管理、識別、分類ができ、点滴スタンド５０の返却時間を減らし、病院の各部門、ある科、ある階の点滴スタンド５０の不足状況を防止できる。
【００１２】
また、本発明の点滴スタンド５０は、伸縮スタンド棒６０表面に陽極染色処理を施す他に、伸縮スタンド棒６０に配置する嵌合材６３及び伸縮スタンド棒６０上端に配置する引掛部７０にも、伸縮スタンド棒６０と同じカラーの陽極染色処理を施すことが可能である。これによって、病院は陽極染色処理の区分に応じて、各部門に配置すべき点滴スタンド５０の管理を効率的に行うことができる。
【００１３】
図３には本発明の点滴スタンド５０の実施例を示す。前記点滴スタンド５０の具体的な実施形態はアルミ合金製とし、表面には陽極処理を施した染色層６００を備え、点滴スタンド５０には病院の各部門が必要とする異なるカラーを示すことができる。
【００１４】
本発明の点滴スタンド５０を操作使用したい場合は、図３に示すとおり、まず、患者の活動や予定の高さに応じて、伸縮スタンド棒６０の第二スタンド棒６２を第一スタンド棒６１内で高さ調節し、嵌合材６３で固定位置をきつく締め、更に伸縮スタンド棒６０の第一スタンド棒６１、第二スタンド棒６２表面に陽極処理を施した染色層６００を備えているため、病院の管理者は迅速に各部門、ある科、ある階の点滴スタンド５０を識別し、使用している点滴スタンド５０を管理、分類することができる。また、点滴スタンド５０の伸縮スタンド棒６０の表面に陽極処理を施した染色層６００を有するため、引っ張り動作によって磨耗したり衝撃による剥離を起こさず、耐摩耗性を備え、点滴スタンド５０を長期使用可能にする。
【００１５】
前記のとおり、本発明の点滴スタンド５０は、伸縮スタンド棒６０表面に陽極処理を施した染色層６００を備えさせる他、伸縮スタンド棒６０に配置する嵌合材６３及び伸縮スタンド棒６０上端に配置する引掛部７０にも、その表面に陽極処理を施す染色層６００を備えさせることが可能である。これによって、各部門の点滴スタンド５０が混ざり合った場合であっても、管理者は各カラーに基づき便利に各部門に分類返却できる。
【符号の説明】
【００１６】
１０    点滴スタンド
１１    スタンド脚
１２    スタンド棒
１３    引掛部
５０    点滴スタンド
６０    伸縮スタンド棒
６１    第一スタンド棒
６２    第二スタンド棒
６３    嵌合材
６００    染色層
７０    引掛部
８０    スタンド脚
【図１】
2011110423.tif 000003
【図２】
2011110423.tif 000004
【図３】
2011110423.tif 000005